(57)【要約】      （修正有）【課題】飲料用紙容器にストローを挿入し易くすると同時にストローが容器内に落下し難くする。【解決手段】所定の壁部の表面側にハーフカットによって剥離片が形成され、この剥離片の領域内に収まるように上記壁部の裏面側にハーフカットによってストロー挿入部２５が形成された飲料用紙容器であり、ストロー挿入部２５が、ストロー挿入部２５の中心に関し対称形又は対称形に近似した形に配置される複数個の可撓片２９を含んでおり、裏面側のハーフカットは、第１の直線と、上記第１の直線と連結しないように配置された第２の直線と、上記第１の直線を跨いで上記第２の直線の延長線上に位置する第３の直線とで構成され、上記第３の直線は、上記第１の直線および上記第２の直線と連結しないように配置されている。【選択図】図４
2014221670.tif 000002
【特許請求の範囲】
【請求項１】
所定の壁部の表面側にハーフカットによって剥離片が形成され、この剥離片の領域内に収まるように上記壁部の裏面側にハーフカットによってストロー挿入部が形成された飲料用紙容器において、
上記ストロー挿入部が、ストロー挿入部の中心に関し対称形又は対称形に近似した形に配置される複数個の可撓片を含んでおり、
裏面側のハーフカットは、第１の直線と、上記第１の直線と連結しないように配置された第２の直線と、上記第１の直線を跨いで上記第２の直線の延長線上に位置する第３の直線とで構成され、上記第３の直線は、上記第１の直線および上記第２の直線と連結しないように配置されていることを特徴とする飲料用紙容器。
【請求項２】
所定の壁部の表面側にハーフカットによって剥離片が形成され、この剥離片の領域内に収まるように上記壁部の裏面側にハーフカットによってストロー挿入部が形成された飲料用紙容器において、
上記ストロー挿入部が、ストロー挿入部の中心に関し対称形又は対称形に近似した形に配置される複数個の可撓片を含んでおり、
裏面側のハーフカットは、２つのくの字状の線で構成され、前記くの字状の線は頂点が対向し、且つ、連結しないように配置されていることを特徴とする飲料用紙容器。
【請求項３】
請求項１又は２に記載の飲料用紙容器において、上記可撓片が、線対称形、又は線対称形に近似した形、又は点対称形、又は点対称形に近似した形に配置されたことを特徴とする飲料用紙容器。
【発明の詳細な説明】
【技術分野】
【０００１】
本発明は、ストローで穿孔して中味を飲用することができる飲料用紙容器に関する。
【背景技術】
【０００２】
従来、牛乳等が充填された飲料用紙容器には、ストローを容器の壁部に突き刺すことによって中味の牛乳等を飲むことができるように、容器の壁部に開口片が略円形又は円弧状にハーフカット線によって形成されている。また、ハーフカット線は一部が途切れてその途切れた箇所がヒンジとして機能するようになっている（例えば、特許文献１，２参照。）。
【０００３】
この開口片は、容器の壁部の裏面側に設けられる場合もあるし（例えば、特許文献１参照。）、表面側に設けられる場合もある（例えば、特許文献２参照。）。
【０００４】
また、容器の壁部の表面側には、開口片が収まる領域で剥離片がハーフカットにより形成される（例えば、特許文献１，２参照。）。
【０００５】
容器内の飲料を飲むには、まず壁部表面の剥離片を剥がし、開口片を露出させ或いは薄肉化させ、次にストローの先端を開口片に押し当てる。これにより、開口片がハーフカットの箇所で破断し、ストローが容器内に侵入し、簡易に中味の飲料を飲むことができる。また、破断した開口片はヒンジを支点にして容器内側に入り込み、飲料中に落下しないようにヒンジで保持される。
【先行技術文献】
【特許文献】
【０００６】
【特許文献１】特許第３５４９７７６号公報
【特許文献２】特開平１０−４５１２４号公報
【発明の概要】
【発明が解決しようとする課題】
【０００７】
ところが、従来の飲料用紙容器の開口片はストローの断面と相似の円形孔が開くように形成されているので、ストローを容器に差し込む時や差し込んで中味を飲む時等に、ストローが不意に容器内に落下するおそれがある。ストローが容器内に落下すると、中味を飲むことが困難になる。
【０００８】
また、開口片の円形孔の周りを囲むハーフカット線はヒンジの箇所を除き円弧状の連続線となっているので、ストローの先を押し付けた際開口片が破断し難いという不具合がある。
【０００９】
したがって、本発明は、上記問題点を解消することができる飲料用紙容器を提供することを目的とする。
【課題を解決するための手段】
【００１０】
本発明は上記課題を解決するためのもので、次のような構成を採用する。
【００１１】
なお、図面の参照符号を括弧付きで付するが、本発明はこれに限定されるものではない。
【００１２】
すなわち、請求項１に係る発明は、所定の壁部の表面側にハーフカット（２７）によって剥離片（２６）が形成され、この剥離片（２６）の領域内に収まるように上記壁部の裏面側にハーフカット（２８）によってストロー挿入部（２５）が形成された飲料用紙容器において、上記ストロー挿入部（２５）が、ストロー挿入部（２５）の中心に関し対称形又は対称形に近似した形に配置される複数個の可撓片（２９）を含んでおり、裏面側のハーフカットは、第１の直線と、上記第１の直線と連結しないように配置された第２の直線と、上記第１の直線を跨いで上記第２の直線の延長線上に位置する第３の直線とで構成され、上記第３の直線は、上記第１の直線および上記第２の直線と連結しないように配置されている飲料用紙容器を採用する。
【００１３】
すなわち、請求項２に係る発明は、所定の壁部の表面側にハーフカット（２７）によって剥離片（２６）が形成され、この剥離片（２６）の領域内に収まるように上記壁部の裏面側にハーフカット（２８）によってストロー挿入部（２５）が形成された飲料用紙容器において、上記ストロー挿入部（２５）が、ストロー挿入部（２５）の中心に関し対称形又は対称形に近似した形に配置される複数個の可撓片（２９）を含んでおり、裏面側のハーフカットは、２つのくの字状の線で構成され、前記くの字状の線は頂点が対向し、且つ、連結しないように配置されている飲料用紙容器を採用する。
【００１４】
請求項３に記載されるように、請求項１又は２に記載の飲料用紙容器において、上記可撓片が、線対称形、又は線対称形に近似した形、又は点対称形、又は点対称形に近似した形に配置されたものとすることができる。
【発明の効果】
【００１５】
本発明に係る飲料用紙容器によれば、所定の壁部の表面側にハーフカット（２７）によって剥離片（２６）が形成され、この剥離片（２６）の領域内に収まるように上記壁部の裏面側にハーフカット（２８）によってストロー挿入部（２５）が形成された飲料用紙容器において、上記ストロー挿入部（２５）が、ストロー挿入部（２５）の中心に関し対称形又は対称形に近似した形に配置される複数個の可撓片（２９）を含んでおり、裏面側のハーフカット（２８）は、第１の直線と、上記第１の直線と連結しないように配置された第２の直線と、上記第１の直線を跨いで上記第２の直線の延長線上に位置する第３の直線とで構成され、上記第３の直線は、上記第１の直線および上記第２の直線と連結しないように配置されていることから、ストロー（Ｓ）の先端をストロー挿入部（２５）の中心に押し付けることにより、複数個の可撓片（２９）をハーフカット（２８）上で簡易に破断させ、可撓片（２９）を容器内側へ撓ませてストロー（Ｓ）を容器内に差し込むことができる。また、差し込んだ場合ストロー（Ｓ）は複数個の可撓片（２９）の弾性により把持されるので、容器に差し込む時や差し込んで中味を飲む時等にストロー（Ｓ）が容器内に落下するような不都合は確実に防止される。
また、本発明に係る飲料用紙容器によれば、所定の壁部の表面側にハーフカット（２７）によって剥離片（２６）が形成され、この剥離片（２６）の領域内に収まるように上記壁部の裏面側にハーフカット（２８）によってストロー挿入部（２５）が形成された飲料用紙容器において、上記ストロー挿入部（２５）が、ストロー挿入部（２５）の中心に関し対称形又は対称形に近似した形に配置される複数個の可撓片（２９）を含んでおり、裏面側のハーフカットは、２つのくの字状の線で構成され、前記くの字状の線は頂点が対向し、且つ、連結しないように配置されていることから、ストロー（Ｓ）の先端をストロー挿入部（２５）の中心に押し付けることにより、複数個の可撓片（２９）をハーフカット（２８）上で簡易に破断させ、可撓片（２９）を容器内側へ撓ませてストロー（Ｓ）を容器内に差し込むことができる。また、差し込んだ場合ストロー（Ｓ）は複数個の可撓片（２９）の弾性により把持されるので、容器に差し込む時や差し込んで中味を飲む時等にストロー（Ｓ）が容器内に落下するような不都合は確実に防止される。
【００１６】
また、可撓片（２９）を支えるヒンジ部分は従来の円形の開口片を支えるヒンジ部分よりも長目に形成することができるので、可撓片（２９）がヒンジ部分で破断し難く、飲料が含浸する等して脆弱化したとしても、容器内の飲料中に落下し難くなる。
【図面の簡単な説明】
【００１７】
【図１】本発明の第一の実施の形態に係る飲料用紙容器の斜視図である。
【図２】飲料用紙容器の展開図である。
【図３】図２中、ＩＩＩ−ＩＩＩ線矢視断面図である。
【図４】（Ａ）〜（Ｂ）はストロー挿入部の各種パターンを示す図である。
【図５】（Ａ）は剥離片を剥がした状態を示す斜視図、（Ｂ）はストローを可撓片間に突き刺した状態を示す斜視図である。
【図６】本発明の第二の実施の形態に係る飲料用紙容器の斜視図である。
【図７】本発明の第三の実施の形態に係る飲料用紙容器の斜視図である。
【発明を実施するための形態】
【００１８】
以下に本発明を実施するための形態について説明する。
【００１９】
＜実施の形態１＞
図１に示すように、この飲料用紙容器はゲーベルトップ型の容器であり、図２に例示するブランク板から組み立てられる。
【００２０】
ブランク板には、図２に示すように、上下方向に直線状に伸びる四本の縦罫線１，２，３，４によって左右方向に略五区分され、左右方向に略直線状に伸びる三本の横罫線５，６，７によって上下方向に略四区分される。これにより、ブランク板には、下から上へ、外底片８、折り込み片９、内底片１０及び折り込み片１１の列と、左側板１２、前板１３、右側板１４及び後板１５の列と、左妻パネル１６、前斜板１７、右妻パネル１８及び後斜板１９の列とが形成され、また、右端には筒貼り片２０が形成され、上端には閉じ片２１が形成される。その他、左右の妻パネル１６，１８、折り込み片９，１１等には、折り込みのための斜め罫線２２が形成される。
【００２１】
ブランク板は、図３に示すように、紙層２３に表裏面層２４が積層された構造となっている。
【００２２】
紙層２３は主強度材であり、具体的には、ミルク原紙、及び純白ロール紙、クラフト紙、板紙、コート紙、加工紙等の各種紙材を用いることができる。
【００２３】
紙層２３はこれらの紙材を複数積層したものであっても良い。
【００２４】
紙層２３に用いる紙材の坪量や厚みは特に限定しないが、坪量は主に８０〜６００ｇ／ｍ2であり、特に１００〜４５０ｇ／ｍ2のものを用いることが好ましく、厚みは主に１１０〜８６０μｍであり、特に１４０〜６４０μｍのものを用いることが好ましい。
【００２５】
表裏面層２４は、具体的には、ポリエチレン（ＰＥ）やポリプロピレン（ＰＰ）等のポリオレフィン系樹脂を用いることができ、ＰＥには高密度ポリエチレン（ＨＤＰＥ）、中密度ポリエチレン（ＭＤＰＥ）、低密度ポリエチレン（ＬＤＰＥ）、線状低密度ポリエチレン（ＬＬＤＰＥ）等を用いることができる。
【００２６】
表裏面層２４は、ポリオレフィン系樹脂、ポリアミド系樹脂、エチレンビニルアルコール共重合樹脂（ＥＶＯＨ）、ポリエチレンテレフタレート（ＰＥＴ）樹脂、及びアルミ箔等の金属シート、アルミ蒸着ＰＥＴ等の金属や酸化物の蒸着シート、等を複数積層したものであっても良い。
【００２７】
表裏面層２４に用いる材料の厚みは特に限定しないが、厚みは主に１０〜１２０μｍであり、特に表面層は１０〜２０μｍ、裏面層は３０〜６０μｍのものを用いることが好ましい。
【００２８】
このブランク板が、各縦罫線１，２，３，４上で折り曲げられ、筒貼り片２０が外底板８、左側板１２、左妻パネル１６及び左端の閉じ片２１に接着されることにより容器の四角筒状の胴部が形成される。また、外底片８、折り込み片９、内底片１０及び折り込み片１１が各横罫線５や斜め罫線２２で折り曲げられ、相互間が接着されることにより容器の平坦な底が形成される。
【００２９】
このようにして組み立てられた容器は、その上端が開口状態にあり、そこから容器内に内容物である飲料が充填される。そして、左妻パネル１６、前斜板１７、右妻パネル１８及び後斜板１９が各横罫線６や斜め罫線２２上で折り曲げられ、閉じ片２１同士が重ね合わされ接着されることにより容器が密封され、同時にゲーベルトップが切妻屋根状に形成される。
【００３０】
図１及び図２に示すように、上記容器の壁部である前斜板１７上には、ストロー挿入部２５と、このストロー挿入部２５を覆う剥離片２６とが形成される。
【００３１】
ストロー挿入部２５及び剥離片２６は、図１に示すように、前斜板１７における上記妻板パネル１６，１８が重ならない箇所に設けられる。
【００３２】
剥離片２６は、図１乃至図３に示すように、上記前斜板１７にその表面側から切り込まれるハーフカット２７によって形成される。
【００３３】
この剥離片２６は、その剥がし始める先端が前斜板１７の下側になるように舌状に形成される。また、剥離時に指先を掛けやすくするため、望ましくは図１及び図２に示すように、その先端が横罫線６上に位置するか又は横罫線６を少しばかり前板１３側に越えるように形成される。剥離片２６を形成するハーフカット２７は、図３に示すように、表裏面層２４を貫通し紙層２３の略半ばまで到達するように設けられる。
【００３４】
図５（Ａ）に示すように、剥離片２６はハーフカット２７に囲まれた範囲内で紙層２３の中間から剥がれ、これによりストロー挿入部２５のハーフカット２８が露出する。
【００３５】
ストロー挿入部２５は、図１乃至図３に示すように、上記剥離片２６の領域内に収まるように上記前斜板１７の裏面側にハーフカット２８によって形成される。
【００３６】
ストロー挿入部２５は、その中心に関し対称形に配置される複数個の可撓片２９を含んでおり、各可撓片２９は隣接するもの同士が連続して接するように形成される。図１及び図２に示す飲料用紙容器では、図１に示すように、ストロー挿入部２５の中心を通り前斜板１７の上下方向に伸びる一本の直線状の切れ線２８ａと、この切れ線２８ａの両端に各々接するように前斜板１７の左右方向に伸びる二本の直線状の切れ線２８ｂとからなるハーフカット２８によって、一対の四角形の可撓片２９が線対称形に形成される。
【００３７】
図５（Ｂ）に示すように、剥離片２６が剥離させられた後にストロー挿入部２５にストローＳを突き刺すと、一対の可撓片２９がハーフカット２８で破断し、各々中心の切れ線２８ａと反対側の箇所をヒンジとして容器内側に観音開き状に開き、ストローＳを容器内に導く。そして、可撓片２９はヒンジを支点にして屈曲することによる弾性によりストローＳを把持する。これにより、ストローＳは容器内への脱落が防止される。
【００３８】
なお、ストロー挿入部２５は、図４（Ａ）〜（Ｂ）に示すようなハーフカット２８により可撓片２９が形成されたものであってもよい。
【００３９】
図４（Ａ）のストロー挿入部２５では、十字形の切れ線からなるハーフカット２８の切れ線２８ｅの十字形が一部途切れている。つまり、ハーフカット２８は、第１の直線Ｌ１と、第１の直線Ｌ１と連結しないように配置された第２の直線Ｌ２と、第１の直線Ｌ１を跨いで第２の直線Ｌ２の延長線上に位置する第３の直線Ｌ３とで構成され、第３の直線Ｌ３は、第１の直線Ｌ１および第２の直線Ｌ２と連結しないように配置されている。これにより、隣接する可撓片２９同士がより強く連結される。
【００４０】
図４（Ｂ）のストロー挿入部２５では、十字形の切れ線を４５度だけ位相をずらせた斜め十字形の切れ線からなるハーフカットの斜め十字形の切れ線２８ｆが一部途切れている。つまり、ハーフカット２８は、２つのくの字状の線で構成され、くの字状の線は頂点が対向し、且つ、連結しないように配置されている。これにより、隣接する可撓片２９同士がより強く連結される。
【００４１】
次に、上記構成を有した飲料用紙容器の作用について説明する。
【００４２】
飲料詰め紙容器は図１に示すような状態で購入者により入手される。
【００４３】
購入者は中味の飲料を飲む際、剥離片２６の端に指の爪を掛けて剥がす。これにより、剥離片２６は、図５（Ａ）に示すように、図３の紙層２３の中間で剥がされ、前斜板１７の上側に捲り上げられる。
【００４４】
剥離片２６が剥がされた跡には、ストロー挿入部２５のハーフカット２８が露出する。
【００４５】
そこで、図５（Ｂ）に示すように、購入者によってストロー挿入部２５にストローＳが突き刺されると、一対の四角形の可撓片２９がハーフカット２８上で破断し、容器内側に観音開き状に開き、ストローＳを容器内に案内する。
【００４６】
そして、各可撓片２９はその付け根のヒンジを支点にして湾曲し、この変形による弾性によってストローＳを把持する。この可撓片２９による把持により、購入者がストローＳから指を離しても、ストローＳは容器内に脱落しない。また、各可撓片２９はヒンジにより支持され、可撓片２９の容器内への落下も防止される。
【００４７】
＜実施の形態２＞
図６に示すように、この実施の形態２では、剥離片２６が前斜板１７上にその左右方向に伸びるように形成される。そして、剥離片２６の先端が前斜板１７と左妻パネル１６との境界の縦罫線１上に来るか又はこの縦罫線１を多少左妻パネル１６側に越えた箇所に来るように形成される。
【００４８】
この剥離片２６は、図６中、二点鎖線で示すように剥がされる。そして、露出したストロー挿入部２５のハーフカット２８に、実施の形態１の場合と同様にしてストローＳが突き刺される。
【００４９】
剥離片２６は、罫線上に位置するか又は罫線を少しばかり越えるように形成すると、剥離時に指先を掛けやすくなる。
【００５０】
そこで図１及び図２のように、その剥がし始める先端が前斜板１７の下側になるように舌状に形成されると良いが、このとき前斜板１７と前板１３との角度は９０度を越えているが１８０度以内である。
【００５１】
図６の形状にしたときは、罫線を介して隣り合う板の角度は３６０度となるから、剥離片２６の先端をちょうど罫線に乗せるか僅かに外側に出しておくと、罫線を折り曲げるとき程よく先端が剥離して図１及び図２のような配置に比べてより指先を掛けやすくなる。
【００５２】
＜実施の形態３＞
図７に示すように、この実施の形態３では、扇形の剥離片２６が前斜板１７上に左右対称に形成される。すなわち、前斜板１７と前板１３との境界の横罫線６と、前斜板１７と左右の妻パネル１６，１８との境界の縦罫線１，２と、これら直交する縦横の罫線１，２，６間を結ぶ円弧とに挟まれる二つの扇形部分が剥離片２６とされ、上記横罫線６上と上記円弧上にハーフカット２７が入れられることにより二つの剥離片２６が左右対称に形成される。
【００５３】
ストロー挿入部２５は、両剥離片２６下に各々形成される。すなわち、前斜板１７の裏面側からハーフカット２８が入れられることにより、実施の形態１におけるような可撓片２９が各剥離片２６下に設けられる。
【００５４】
この実施の形態３における飲料詰め容器を購入した者は、図７中、二点鎖線で示すように、右利きであれば右側の剥離片２６を剥離させることにより、右側のストロー挿入部２５からストローＳを容器内に差し込むことができ、左利きであれば左側の剥離片２６を剥離させることにより、左側のストロー挿入部２５からストローＳを容器内に差し込むことができる。
【００５５】
剥離片２６ハーフカット２７の入れられる横罫線６上には、各剥離片２６を剥がし始める際に指の爪を掛けやすくするための突起２６ａが、ハーフカット２７を前板１３側に多少迂回させることによって形成される。
【００５６】
第二の実施の形態および第三の実施の形態は、第一の実施の形態と同じ積層材の材質を使用することができ、図４のストロー挿入部を適用してもよい。
【００５７】
なお、本発明は上記実施の形態に限定されるものではなく、例えば上記実施の形態では容器本体をゲーベルトップ型の容器として説明したが、それ以外の例えばフラットトップ型の容器についても本発明を適用可能である。また、ストロー挿入部や剥離片を前斜板に設けたが、後斜板１８等他の板部分に設けることも可能である。
【符号の説明】
【００５８】
２５…ストロー挿入部
２６…剥離片
２７，２８…ハーフカット
２９…可撓片
Ｌ１…第１の直線
Ｌ２…第２の直線
Ｌ３…第３の直線
【図１】
2014221670.tif 000003
【図２】
2014221670.tif 000004
【図３】
2014221670.tif 000005
【図４】
2014221670.tif 000006
【図５】
2014221670.tif 000007
【図６】
2014221670.tif 000008
【図７】
2014221670.tif 000009